(57)【要約】      （修正有）【課題】着脱しやすくて、単独で物品を置くことが可能で、自体の体積を変化させることができ、果物や野菜を直接洗浄して水分を切ることができる、伸縮可能な吊り下げ式冷蔵庫収納バスケットを提供する。【解決手段】伸縮可能な吊り下げ式冷蔵庫収納バスケットは、左収納バスケット１及び右収納バスケット２を備え、左収納バスケット１の左側頂部及び右収納バスケット２の右側頂部には、いずれも前後方向に沿って配置される前端開口の弾性係止用ストリップ３が設けられ、左収納バスケット１の前後側面の上部には、左右方向に沿って係止溝が設けられ、右収納バスケット２の前後側面の上部には、左右方向に沿って係止溝内に挿入可能な係止部が設けられ、係止溝は上外延伸段と、中下延伸段と、及び下内延伸段と、で構成され、下内延伸段の右端端面に近接する箇所には、弾性ストッパーが設けられ、係止部の左端端面に近接する箇所には、係止フックが設けられる。【選択図】図１
0003231381.tif 000002
【実用新案登録請求の範囲】
【請求項１】
伸縮可能な吊り下げ式冷蔵庫収納バスケットであって、
左収納バスケット（１）及び右収納バスケット（２）を備え、
前記左収納バスケット（１）の左側頂部及び右収納バスケット（２）の右側頂部には、いずれも前後方向に沿って配置される前端開口の弾性係止用ストリップ（３）が設けられ、
前記左収納バスケット（１）の前後側面の上部には、左右方向に沿って係止溝（４）が設けられ、
前記右収納バスケット（２）の前後側面の上部には、左右方向に沿って係止溝（４）内に挿入可能な係止部（５）が設けられ、
前記係止溝（４）は上外延伸段（６）と、中下延伸段（７）と、及び下内延伸段（８）と、で構成され、前記下内延伸段（８）の右端端面に近接する箇所には、弾性ストッパー（９）が設けられ、前記係止部（５）の左端端面に近接する箇所には、係止フック（１０）が設けられ、
通常の状態では、右収納バスケット（２）は係止部（５）を介して左収納バスケット（１）の係止溝（４）内に挿入され且つ係止フック（１０）が弾性ストッパー（９）に位置制限されることにより離脱不能となり、外力で押圧される場合、弾性ストッパー（９）が変形して係止フック（１０）を離脱させ、左収納バスケット（１）と右収納バスケット（２）が分離される、ことを特徴とする伸縮可能な吊り下げ式冷蔵庫収納バスケット。
【請求項２】
前記左収納バスケット（１）の底面及び側面、右収納バスケット（２）の底面及び側面には、いずれも水切り穴（１１）が設けられる、ことを特徴とする請求項１に記載の伸縮可能な吊り下げ式冷蔵庫収納バスケット。
【請求項３】
前記水切り穴（１１）の形状は長尺状である、ことを特徴とする請求項２に記載の伸縮可能な吊り下げ式冷蔵庫収納バスケット。
【請求項４】
前記左収納バスケット（１）及びその上方の弾性係止用ストリップ（３）、右収納バスケット（２）及びその上方の弾性係止用ストリップ（３）はいずれも一体に射出成形される、ことを特徴とする請求項１に記載の伸縮可能な吊り下げ式冷蔵庫収納バスケット。
【請求項５】
前記弾性係止用ストリップ（３）は後から前に向かって下向きに傾斜する、ことを特徴とする請求項４に記載の伸縮可能な吊り下げ式冷蔵庫収納バスケット。
【請求項６】
前記左収納バスケット（１）及び右収納バスケット（２）の底部には、バランスバンプ（１２）が設けられる、ことを特徴とする請求項１に記載の伸縮可能な吊り下げ式冷蔵庫収納バスケット。
【考案の詳細な説明】
【技術分野】
【０００１】
本考案は家庭用品に関し、特に伸縮可能な吊り下げ式冷蔵庫収納バスケットに関する。
【背景技術】
【０００２】
冷蔵庫は現代人の生活に不可欠であり、人々の生活条件が豊富になるにつれ、冷蔵する必要のある食品や物品がますます増えているため、冷蔵庫の貯蔵スペースに対する要求も高まっている。人々はすでに既存の冷蔵庫の冷蔵収納庫にとどまらず、冷蔵収納量を増やし貯蔵スペースを節約するため、より多くの物品を分類して置くことができるように、冷蔵庫の冷蔵収納スペースを合理的に計画して改善する必要がある。
【考案の概要】
【０００３】
上記の問題に対して、本考案は、斬新な構造で、着脱しやすくて、単独で冷蔵庫の仕切り板に取り付けられ、独立した通気室を形成し、単独で物品を置き、自体の体積を変更させ、果物や野菜を直接洗浄して水分を切ることができる、伸縮可能な吊り下げ式冷蔵庫収納バスケットを提供することを目的としている。
【０００４】
本考案の技術案は、左収納バスケット及び右収納バスケットを備え、前記左収納バスケットの左側頂部及び右収納バスケットの右側頂部には、いずれも前後方向に沿って配置される前端開口の弾性係止用ストリップが設けられ、前記左収納バスケットの前後側面の上部には、左右方向に沿って係止溝が設けられ、前記右収納バスケットの前後側面の上部には、左右方向に沿って係止溝内に挿入可能な係止部が設けられ、前記係止溝は上外延伸段と、中下延伸段と、及び下内延伸段と、で構成され、前記下内延伸段の右端端面に近接する箇所には、弾性ストッパーが設けられ、前記係止部の左端端面に近接する箇所には、係止フックが設けられ、通常の状態では、右収納バスケットは係止部を介して左収納バスケットの係止溝内に挿入され且つ係止フックが弾性ストッパーに位置制限されるにより離脱不能となり、外力で押圧される場合、弾性ストッパーが変形して係止フックを離脱させ、左収納バスケットと右収納バスケットが分離される、伸縮可能な吊り下げ式冷蔵庫収納バスケットである。
【０００５】
好ましくは、前記左収納バスケットの底面及び側面、右収納バスケットの底面及び側面には、いずれも水切り穴が設けられる。
【０００６】
好ましくは、前記水切り穴の形状は長尺状である。
【０００７】
好ましくは、前記左収納バスケット及びその上方の弾性係止用ストリップ、右収納バスケット及びその上方の弾性係止用ストリップはいずれも一体に射出成形される。
【０００８】
好ましくは、前記弾性係止用ストリップは後から前に向かって下向きに傾斜する。
【０００９】
好ましくは、前記左収納バスケット及び右収納バスケットの底部には、バランスバンプが設けられる。
【００１０】
本考案は、斬新な構造で、着脱しやすくて、収納バスケットを単独で冷蔵庫の仕切り板に取り付けられ、独立した通気室を形成し、単独で物品を置くことができるとともに、外側への延伸及び内側への収縮により、自体の体積を変化させ、水溜り現象を防ぐことができる。
【図面の簡単な説明】
【００１１】
【図１】本考案の構造概略図である。
【図２】本考案の他の視角の構造概略図である。
【図３】本考案の側面図である。
【図４】本考案の底面図である。
【図５】図４のＡ−Ａ方向に沿った断面図である。
【図６】図５におけるＢ部分の部分拡大図である。
【図７】本考案の外側に延伸した後の構造概略図である。
【図８】図７の他の視角の構造概略図である。
【図９】図８におけるＣ部分の部分拡大図である。
【図１０】図７の他の視角の構造概略図である。
【図１１】図１０におけるＤ部分の部分拡大図である。
【００１２】
そのうち、１−左収納バスケット、２−右収納バスケット、３−弾性係止用ストリップ、４−係止溝、５−係止部、６−上外延伸段、７−中下延伸段、８−下内延伸段、９−弾性ストッパー、１０−係止フック、１１−水切り穴、１２−バランスバンプ。
【考案を実施するための形態】
【００１３】
以下、図面を参照して、本考案について詳しく説明する。
【００１４】
図１から図１１に示すように、本考案は、左収納バスケット１及び右収納バスケット２を備え、前記左収納バスケット１の左側頂部及び右収納バスケット２の右側頂部には、いずれも前後方向に沿って配置される前端開口の弾性係止用ストリップ３が設けられ、前記左収納バスケット１の前後側面の上部には、左右方向に沿って係止溝４が設けられ、前記右収納バスケット２の前後側面の上部には、左右方向に沿って係止溝４内に挿入可能な係止部５が設けられ、前記係止溝４は上外延伸段６、中下延伸段７及び下内延伸段８で構成され、前記下内延伸段８の右端端面に近接する箇所には、弾性ストッパー９が設けられ、前記係止部５の左端端面に近接する箇所には、係止フック１０が設けられ、通常の状態では、右収納バスケット２は係止部５を介して左収納バスケット１の係止溝４内に挿入され且つ係止フック１０が弾性ストッパー９に位置制限されることにより離脱不能となり、外力で押圧される場合、弾性ストッパー９が変形して係止フック１０を離脱させ、左収納バスケット１と右収納バスケット２が分離される、伸縮可能な吊り下げ式冷蔵庫収納バスケットを提供する。
【００１５】
好ましくは、前記左収納バスケット１の底面及び側面、右収納バスケット２の底面及び側面には、いずれも水切り穴１１が設けられる。
【００１６】
好ましくは、前記水切り穴１１の形状は長尺状である。
【００１７】
好ましくは、前記左収納バスケット１及びその上方の弾性係止用ストリップ３、右収納バスケット２及びその上方の弾性係止用ストリップ３はいずれも一体に射出成形される。
【００１８】
好ましくは、前記弾性係止用ストリップ３は後から前に向かって下向きに傾斜する。
【００１９】
好ましくは、前記左収納バスケット１及び右収納バスケット２の底部には、バランスバンプ１２が設けられており、本製品を台面上に置くと、水切りが容易になるように、その底部は、台面との隙間を維持することができる。
【００２０】
使用する時、弾性係止用ストリップ３の開口端を冷蔵庫の仕切り板に挿入することで、本製品が冷蔵庫内に固定されることが実現され、必要に応じて左収納バスケット１及び右収納バスケット２の幅を両側に伸ばし、対応する物品に入れて冷蔵又は冷凍をする。その過程において、食物は独立した空間内にあり、異なる食物の分類配置が容易になるとともに、保存過程において水が溜まる現象が発生しない。製品全体の挿入及び取り出しが非常に便利であり、冷蔵庫の空間利用率を向上する。
【００２１】
以上は、本考案の好適な実施形態だけであり、本考案を何ら限定するものではない。本考案の技術原理に基づいて上記実施例に対して行われた任意の簡単な修正、等同変化又は修飾は、依然として本考案の技術方案の範囲内にある。
【図１】
0003231381.tif 000003
【図２】
0003231381.tif 000004
【図３】
0003231381.tif 000005
【図４】
0003231381.tif 000006
【図５】
0003231381.tif 000007
【図６】
0003231381.tif 000008
【図７】
0003231381.tif 000009
【図８】
0003231381.tif 000010
【図９】
0003231381.tif 000011
【図１０】
0003231381.tif 000012
【図１１】
0003231381.tif 000013